(57)【特許請求の範囲】
【請求項１】
円板状の操作つまみを回転させることにより電気信号を発生する回転型部品部と、この回転型部品部全体を一定の範囲で操作つまみ面と平行に動き得るように保持し、回転型部品部のスライド接点体との間に摺動弾性接点を介して電気信号を伝達する手段を有する接点付取付基板と、通常状態で回転型部品部を操作つまみ面と平行な一定方向に押し付けるばね体と、このばね体の付勢力に抗して回転型部品部を操作つまみ面と平行に押すことにより、接点付取付基板の節度ばねと回転型部品部のスライド接点体の裏面に設けられた突部との間で節度感を発生すると共に、上記回転型部品部の電気信号伝達用の摺動弾性接点に並べて回転型部品部のスライド接点体に設けられたスイッチ用弾性接点が接点付取付基板上のスイッチ接点に接触するプッシュスイッチ部からなるプッシュスイッチ付回転操作型電子部品。
【請求項２】
通常状態で回転型部品部を操作つまみ面と平行な一定方向に押し付けるばね体およびプッシュスイッチ用弾性接点を、回転型部品部の弾性接点と同一の弾性金属薄板で形成した後それぞれ電気的に分離すると共に、プッシュスイッチ部の節度ばねを接点付取付基板の接点と同一の弾性金属薄板で形成した後電気的に分離する請求項１に記載のプッシュスイッチ付回転操作型電子部品。
【発明の詳細な説明】
【０００１】
【発明の属する技術分野】
本発明は主としてマウス等のコンピュータ周辺機器や携帯電話、ページャ等に使用されるプッシュスイッチ付回転操作型電子部品に関するものである。
【０００２】
【従来の技術】
プッシュスイッチ付回転操作型電子部品は、一個の操作用つまみで回転型部品部およびプッシュスイッチ部をそれぞれ個別に操作できるものであり、特開平８−２０３３８７号公報に記載されたものが知られている。
【０００３】
以下、従来のプッシュスイッチ付回転操作型電子部品の技術をプッシュスイッチ付回転型エンコーダを例として、図８〜図１２に基づいて説明する。
【０００４】
プッシュスイッチ付回転型エンコーダは、図８の外観斜視図に示すように脚部３１Ａ，３１Ｂを有する接点付取付基板３１（以下、取付基板３１と称す）の上に回転型エンコーダ部３２（以下、エンコーダ部３２と称す）とプッシュスイッチ部３３（以下、スイッチ部３３と称す）が配され、エンコーダ部３２は一定の範囲で水平方向に移動できるように、スイッチ部３３は動かないように固定されている。
【０００５】
取付基板３１には、図８〜図１０に示すように平板状の成形樹脂体にエンコーダ３２の移動用ガイドレール３４を有する窪み３５と、スイッチ部３３を固定するための押し壁部３６を有する窪み３７およびエンコーダ部３２の電気信号を外部へ伝達するための端子３８を有する接点板３９が設けられている。
【０００６】
エンコーダ部３２は、図９および図１０に示すように取付基板３１の窪み３５に嵌めこまれてガイドレール３４により一定の範囲で水平方向（図８，図１０に示す矢印Ｈ２方向）に動き得るように保持された成形樹脂製の箱形ケース４０と、この箱形ケース４０の底面にインサート成形により取り付けられた弾性接点体５３から上方および下方に各々突出した弾性接点脚４１，４２と、箱形ケース４０の中央に固定された円柱軸４３により回転可能に保持された円板状で、下面に弾性接点脚４１が弾接する放射状接点板４４を有する成形樹脂製の回転体４５と、この回転体４５を回転操作できるようにその上方にねじ４６により取り付けられた外周操作タイプの円板状操作つまみ４７とにより構成され、取付基板３１の上のピン状突起４８（図１１，図１２参照）に位置決めされたネジリコイルバネ４９により箱形ケース４０の側面を水平方向に押され、通常状態においてスイッチ３３から離れた位置にあるように付勢されていると共に、箱形ケース４０の底面から下方に突出した弾性接点脚４２が取付基板３１の接点板３９に弾接している。
【０００７】
スイッチ部３３は、図１０に示すように操作ボタン５０がエンコーダ部３２に対向し、後端部が押し止め壁３６に当接するように取付基板３１の窪み３７に嵌めこまれて固定されている。
【０００８】
そして、エンコーダ部３２の箱形ケース４０に一体に設けられた駆動用突起５１がスイッチ部３３の操作ボタン５０の先端に当接している。
【０００９】
従来のプッシュスイッチ付回転型エンコーダは以上のように構成されるものであり、その動作について説明すると、まず、図１１に示すようにエンコーダ部３２の上端に取付けられた円板状操作つまみ４７の先端部分４７Ａに接線方向の力を加えて回転させることにより、回転体４５が箱形ケース４０の中央の円柱軸４３を中心として回転し、その下面の放射状接点板４４の上を上方弾性接点脚４１が弾接して摺動し、この接触部分で円板状操作つまみ４７の回転操作に連動したパルス信号を発生する。
【００１０】
そして、このパルス信号が上方弾性接点脚４１から下方弾性接点脚４２に伝わり、さらに弾性接点脚４２が弾接している取付基板３１の上の接点板３９に伝わってから外部接続用端子３８を経て電子機器の回路に伝達される。
【００１１】
また、図１２に示すように取付基板３１の上のネジリコイルバネ４９の付勢力に逆らって、円板状操作つまみ４７の先端部分４７Ａにつまみの中心とスイッチ部３３を結ぶ水平方向（矢印Ｈ２方向）の押し力を加えて、エンコーダ部３２の全体を取付基板３１のガイドレール３４に沿って水平方向に動かし、箱形ケース４０に設けられた駆動用突起５１で操作ボタン５０を押してスイッチ部３３を動作させ、その信号が接続用端子５２を経て電子機器の回路に伝達され、円板状操作つまみ４７に加えていた押し力を除くと、取付基板３１の上のネジリコイルバネ４９の弾性復元力によってエンコーダ部３２が押し戻されて元の図１１に示す状態に復帰するものであった。
【００１２】
【発明が解決しようとする課題】
しかしながら、上記従来の構成のプッシュスイッチ付回転型エンコーダでは、取付基板３１の一方の面上にエンコーダ部３２とスイッチ部３３を並べて配しているため、円板状操作つまみ４７の先端部分４７Ａからスイッチ部３３後端までの奥行寸法が大きいという課題があり、また、スイッチ部３３に独立したプッシュスイッチ単体を使用し、さらに、接点板３９、弾性接点体５３、ネジリコイルバネ４９等の金属材料からなる部品を、それぞれ独立した材料から形成しているため製品の価格が高いという問題もあった。
【００１３】
本発明はこのような従来の課題を解決するものであり、奥行寸法が小さく、また、より簡単な構成で安価なプッシュスイッチ付回転操作型電子部品を提供することを目的とする。
【００１４】
【課題を解決するための手段】
上記課題を解決するために本発明によるプッシュスイッチ付回転操作型電子部品は、接点付取付基板と回転型部品部のスライド接点体の間に、節度付きのプッシュスイッチを一体に形成すると共に、接点板、弾性接点体、コイルバネ等の金属材料からなる部品を同一の金属材料から複数個の部品を形成するようにするものである。
【００１５】
これにより、奥行寸法が小さく、しかも安価なプッシュスイッチ付回転型電子部品を実現することができる。
【００１６】
【発明の実施の形態】
本発明の請求項１に記載の発明は、円板状の操作つまみを回転させることにより電気信号を発生する回転型部品部と、この回転型部品部全体を一定の範囲で操作つまみ面と平行に動き得るように保持し、回転型部品部のスライド接点体との間に摺動弾性接点を介して電気信号を伝達する手段を有する接点付取付基板と、通常状態で回転型部品部を操作つまみ面と平行な一定方向に押し付けるばね体と、このばね体の付勢力に抗して回転型部品部を操作つまみ面と平行に押すことにより、接点付取付基板の節度ばねと回転型部品部のスライド接点体の裏面に設けられた突部との間で節度感を発生すると共に、上記回転型部品部の電気信号伝達用の摺動弾性接点に並べて回転型部品部のスライド接点体に設けられたスイッチ用弾性接点が接点付取付基板上のスイッチ接点に接触するプッシュスイッチ部からなるプッシュスイッチ付回転操作型電子部品としたものであり、円板状操作つまみの先端部分から電子部品後端までの奥行寸法が小さく、安価なプッシュスイッチ付回転操作型電子部品を提供できるという作用を有する。
【００１７】
請求項２に記載の発明は、請求項１に記載の発明において、通常状態で回転型部品部を操作つまみ面と平行な一定方向に押し付けるばね体およびプッシュスイッチ用弾性接点を、回転型部品部の弾性接点と同一の弾性金属薄板で形成した後それぞれ電気的に分離すると共に、プッシュスイッチ部の節度ばねを接点付取付基板の接点と同一の弾性金属薄板で形成した後電気的に分離するようにしたものであり、請求項１に記載の発明による作用に加えて、複数個の部品を同一の弾性金属薄板から形成するので、部品コストおよび組立工数を低減できるという作用を有する。
【００１８】
以下、本発明の実施の形態について、プッシュスイッチ付回転型エンコーダを例として図１〜図７を用いて説明する。
【００１９】
本実施の形態によるプッシュスイッチ付回転型エンコーダは、図１の外観斜視図に示すように、接点付取付基板１の上に回転型部品部としての回転型エンコーダ部２が載せられ、その下面にプッシュスイッチ部３（図１には示さず）が形成されており、回転型エンコーダ部２は一定の範囲で水平方向に移動できるように接点付取付基板１に組合されている。
【００２０】
なお、以下の説明において、接点付取付基板１は取付基板１、回転型エンコーダ部２はエンコーダ部２、プッシュスイッチ部３はスイッチ部３と省略して説明する。
【００２１】
取付基板１は、図２の斜視図に示すように平板状の成形樹脂体に、エンコーダ部２の移動用のガイドレール４を有する窪み５と、エンコーダ部２の電気信号を外部へ伝達するための下方に突出した端子６を有する接点板７、およびこれと並べてスイッチ部３用の端子８を有する接点板９、さらにスイッチ部３用の上方に突出した節度ばね１０が設けられると共に、下面の取付面には本プッシュスイッチ付回転型エンコーダを電子機器の配線基板に装着するための脚部１Ａ，１Ｂが設けられている。
【００２２】
なお、上記の端子６を有する接点板７と端子８を有する接点板９および節度ばね１０は、同一の弾性金属薄板にあらかじめ所定形状の打抜き加工を施したものを取付基板１の成形加工時にインサート成形により固定し、その後に各々電気的に分離するように切断加工し、さらに曲げ加工して形成したものである。
【００２３】
エンコーダ部２は、図３の正面断面図および図４の側面断面図に示すように、取付基板１の窪み５に嵌めこまれてガイドレール４により一定の範囲で水平方向（図１，図４に示す矢印Ｈ１方向）に動き得るように保持された成形樹脂製のスライド接点体１１と、このスライド接点体１１の成形樹脂にインサート成形により固定された弾性金属薄板製の弾性接点体１２から上方および下方に突出した弾性接点脚１３，１４と、スライド接点体１１の中央の円柱軸１５により回転可能に保持され、下面に弾性接点脚１３が弾接する放射状接点板１６を有する成形樹脂製円板状の回転体１７と、この回転体１７を回転操作できるようにその上部に取り付けられた外周操作タイプの円板状操作つまみ１８とにより構成され、このエンコーダ部２で発生した電気信号を導出するため、上記スライド接点体１１から下方に突出した弾性接点脚１４が取付基板１上の接点板７に弾接している。
【００２４】
また、図５のスイッチ部３の構成を説明する一部断面の側面図に示すように、上記スライド接点体１１に固定された弾性接点体１２から下方に突出した弾性接点脚１４に並べてスイッチ用の弾性接点脚１９が設けられ、上記取付基板１の上面に弾接するように配されていると共に、取付基板１に設けられた節度ばね１０のダボ部１０Ａがスライド接点体１１の下面の突部２０の側部に弾接してスイッチ部３を構成している。
【００２５】
そして、弾性接点体１２から一体に後方に伸ばされたスライド接点体１１の後端部から突出した弾性金属薄板製の板ばね２１の先端部が、取付基板１の上面のピン状突起２２に弾接することにより、通常状態においてエンコーダ部２は前方に付勢されている。
【００２６】
なお、板ばね２１はばね圧力が大きくなるように弾性金属薄板を二重に折り重ねた構成となっている。
【００２７】
また、上記の弾性接点体１２から上方および下方に突出した弾性接点脚１３，１４とスイッチ用の弾性接点脚１９および板ばね２１は、同一の弾性金属薄板にあらかじめ所定形状の打ち抜き加工を施したものを、スライド接点体１１の成形加工時にインサート成形により固定し、その後に各々電気的に分離するように切断加工し、さらに曲げ加工して形成したものである。
【００２８】
次に、以上のように構成される本発明の一実施の形態によるプッシュスイッチ付回転型エンコーダの動作について説明する。
【００２９】
まず、図６の一部断面の上面図に矢印で示すように、エンコーダ部２の上部に取り付けられた円板状操作つまみ１８の先端部分１８Ａに接線方向の力を加えて回転させることによって、回転体１７が円柱軸１５を中心として回転し、スライド接点体１１の上方の弾性接点脚１３が回転体１７の下面の放射状接点板１６上を弾接摺動してパルス信号を発生させ、下方の弾性接点脚１４から取付基板１上の接点板７に伝わり、端子６を経て電子機器の回路に伝わり、回転型エンコーダとして機能することは従来の技術の場合と同様である。
【００３０】
また、図７の一部断面の上面図に示すように、エンコーダ部２を前方に押している板ばね２１の付勢力に逆らって、円板状操作つまみ１８の先端部１８Ａに取付基板１の中心線に沿った水平方向（矢印Ｈ１方向）の押し力を加えてエンコーダ部２全体を取付基板１のガイドレール４に沿って後方に動かすと、スライド接点体１１が後方に動くことによって、図５に示すようにその下面の突部２０が取付基板１に設けられた節度ばね１０のダボ部１０Ａを節度感を伴って乗り越えると共に、スライド接点体１１から下方に突出して取付基板１の上面に弾接したスイッチ用の弾性接点脚１９が後方に摺動してスイッチ用の接点板７に接触することにより、プッシュスイッチとしてＯＮ状態となり、その信号は端子８を介して電子機器の回路に伝達される。
【００３１】
そして、円板状操作つまみ１８に加えていた押し力を除くと板ばね２１の弾性復元力によってエンコーダ部２が押し戻されて、スライド接点体１１の下面の突部２０は再び節度ばね１０のダボ部１０Ａを節度感を伴って乗り越えると共に、弾性接点脚１９は接点板７から離れてスイッチＯＦＦの状態となり、元の図５および図６に示す状態に復帰する。
【００３２】
なお、上記の実施の形態では、エンコーダ部２の電気信号を取付基板１の端子６へ伝達する手段としておよびスイッチ部３の接点として、エンコーダ部２のスライド接点体１１から下方に突出した弾性接点脚１４および１９が取付基板１上の接点板７および９に弾接する構成としたが、これを取付基板１から弾性接点脚を出してスライド接点体１１の下面の接点板に弾接させる構成としてもよいことは言うまでもない。
【００３３】
また、上記の実施の形態では、回転操作する電子部品として回転型エンコーダを例として説明したが、これは回転型可変抵抗器等の他の電子部品でもよいことはもちろんである。
【００３４】
【発明の効果】
以上のように本発明によれば、奥行寸法が小さく、簡単な構成で安価でプッシュスイッチ付回転操作型電子部品を実現することができるという有利な効果が得られる。
【図面の簡単な説明】
【図１】本発明の実施の形態によるプッシュスイッチ付回転型エンコーダの外観斜視図
【図２】同要部である接点付取付基板の斜視図
【図３】同正面断面図
【図４】同側面断面図
【図５】同プッシュスイッチ部の構成を説明する一部断面の側面図
【図６】同回転型エンコーダ部の動作を説明する一部断面の上面図
【図７】同プッシュスイッチ部の動作を説明する一部断面の上面図
【図８】従来のプッシュスイッチ付回転型エンコーダの外観斜視図
【図９】同正面断面図
【図１０】同側面断面図
【図１１】同回転型エンコーダ部の動作を説明する一部断面の上面図
【図１２】同プッシュスイッチ部の動作を説明する上面図
【符号の説明】
１  接点付取付基板
１Ａ，１Ｂ  脚部
２  回転型エンコーダ部
３  プッシュスイッチ部
４  ガイドレール
５  窪み
６，８  端子
７，９  接点板
１０  節度ばね
１０Ａ  ダボ部
１１  スライド接点体
１２  弾性接点体
１３，１４，１９  弾性接点脚
１５  円柱軸
１６  放射状接点板
１７  回転体
１８  円板状操作つまみ
１８Ａ  先端部分
２０  突部
２１  板ばね
２２  ピン状突起
【図１】
0003849194.tif 000002
【図２】
0003849194.tif 000003
【図３】
0003849194.tif 000004
【図４】
0003849194.tif 000005
【図５】
0003849194.tif 000006
【図６】
0003849194.tif 000007
【図７】
0003849194.tif 000008
【図８】
0003849194.tif 000009
【図９】
0003849194.tif 000010
【図１０】
0003849194.tif 000011
【図１１】
0003849194.tif 000012
【図１２】
0003849194.tif 000013